(57)【要約】【課題】  協調視聴の場を視聴者が意識することなく、最小限の操作で提供する。【解決手段】  複数の視聴者間における視聴中のチャンネル情報の公開を制限し、偶発的にチャンネルが一致した視聴者同士について協調視聴の開始を促すメッセージの通知を行い、協調視聴を行うためのチャンネル同期処理や、通信端末装置の接続処理を自動的に行う。【選択図】  図１
2007281964.tif 000002
【特許請求の範囲】
【請求項１】
複数の視聴者の、各々が視聴中の放送チャンネルを示すチャンネル情報を、ネットワーク経由で監視する手段と、
前記チャンネル情報を複数の視聴者の各々と対応づけて管理し、第１の視聴者と第２の視聴者のチャンネル情報が一致した場合に、前記第１の視聴者と前記第２の視聴者間のコミュニケーションセッションを制御する手段と、
前記第１の視聴者と前記第２の視聴者が視聴する放送チャンネルが同期するように制御する手段とを備えたことを特徴とする協調視聴支援システム。
【請求項２】
前記複数の視聴者それぞれに対して、他の視聴者が視聴するチャンネル情報が公開されおらず、偶発的にチャンネルが一致した第１の視聴者と第２の視聴者について前記第１の視聴者と前記第２の視聴者のコミュニケーションセッションを開始する制御を行うことと、前期視聴する放送チャンネルの同期を開始する制御を行うことを特徴とする請求項１に記載の協調視聴支援システム。
【請求項３】
前記第１の視聴者と前記第２の視聴者のコミュニケーションセッションを開始する制御を行うことと、前期視聴する放送チャンネルの同期を開始する制御を行うことを、前記視聴者１および前記視聴者２のチャンネル情報が一致してから一定時間後に、前記第１の視聴者および前記第２の視聴者に通知し、それぞれの視聴者の意思を確認する過程を有し、前記視聴者１および前記視聴者２の双方の了解を得られた場合に、該処理を実行することを特徴とする請求項１に記載の協調視聴支援システム。
【請求項４】
前記第１の視聴者と前記第２の視聴者のコミュニケーションセッションを開始する制御は、前記第１の視聴者と前記第２の視聴者の各々が用いる音声通話機能を備えた端末装置の呼制御であることを特徴とする請求項１乃至３の何れか１項に記載の協調視聴支援システム。
【請求項５】
前記第１の視聴者と前記第２の視聴者のコミュニケーションセッションを開始する制御は、前記第１の視聴者と前記第２の視聴者の各々が用いる文字情報送受信機能を備えた端末装置の呼制御であることを特徴とする請求項１乃至３の何れか１項に記載の協調視聴支援システム。
【請求項６】
複数の視聴者の、各々が視聴中の放送チャンネルを示すチャンネル情報を、ネットワーク経由で監視する工程と、
前記チャンネル情報を複数の視聴者の各々と対応づけて管理し、第１の視聴者と第２の視聴者のチャンネル情報が一致した場合に、前記第１の視聴者と前記第２の視聴者間のコミュニケーションセッションを制御する工程と、
前記第１の視聴者と前記第２の視聴者が視聴する放送チャンネルが同期するように制御する工程とを備えたことを特徴とする協調視聴支援方法。
【請求項７】
請求項６記載の協調視聴支援方法をコンピュータに実行させるためのプログラム。
【発明の詳細な説明】
【技術分野】
【０００１】
本発明は、遠隔地の視聴者同士が同一のコンテンツを視聴しながら映像や音声によるコミュニケーションを行う協調視聴システム、協調視聴支援方法及びプログラムに関する。
【背景技術】
【０００２】
テレビ放送などの番組コンテンツを視聴する際、視聴者は単独で視聴するよりも、他の視聴者と例えば番組コンテンツの内容や出演者についてコミュニケーションを行いながら視聴したいと望む場合や、スポーツ観戦であれば一緒に応援しながら視聴をしたいと望む場合がある。
【０００３】
このように同一の番組コンテンツを視聴しながらコミュニケーションを行う協調視聴システムにおいて、視聴者間のコミュニケーションはインターネットや電話回線などの通信回線を介して、映像や音声、文字情報などの交換によって実現可能である。協調視聴システムは視聴者のとって新たなコミュニケーションの場として活用されることが期待されている。
【０００４】
従来、あるコンテンツに対応して複数の視聴者がコミュニケーションできる場を提供するシステムが提案されており（例えば、特許文献１参照）、視聴者の個性や嗜好に応じて複数のコミュニケーションチャンネルを用意し、テレビ放送を視聴しながらチャットによるコミュニケーションを行うことができるシステムを提案している。
【０００５】
【特許文献１】特開２００３−３２６５７号公報
【発明の開示】
【発明が解決しようとする課題】
【０００６】
しかしながら、上記のようなシステムでは協調視聴が開始するまでに多くの操作を要することに加え、実際に他の視聴者との通信を行うには、意識的に協調視聴を開始するための操作を行う必要があった。
【０００７】
一般に番組コンテンツを視聴中の視聴者としては、次のような境遇にある可能性を持っていると考えられる。すなわち、番組コンテンツを視聴し始めると、視聴することに集中したいために煩雑な操作を伴ってまで協調視聴を開始する操作を行う余裕がないか、もしくはテレビジョン装置（およびそれに付随するリモコン装置）などの機器の扱いに慣れない人は、開始するための操作自体が理解しにくいという可能性がある。また、他人とコミュニケーションを開始する場合、その相手によってはコミュニケーションを開始することに気恥ずかしい部分があり、自分からチャットルームに入室する、もしくは相手を呼び出してコミュニケーションを開始するというシステムでは、コミュニケーションの場に参加するまでには至らないという可能性がある。
【０００８】
そこで、本発明の目的は、協調視聴の場を視聴者が意識することなく、最小限の操作で提供することにある。
【課題を解決するための手段】
【０００９】
本発明の協調視聴支援システムは、複数の視聴者の、各々が視聴中の放送チャンネルを示すチャンネル情報を、ネットワーク経由で監視する手段と、前記チャンネル情報を複数の視聴者の各々と対応づけて管理し、第１の視聴者と第２の視聴者のチャンネル情報が一致した場合に、前記第１の視聴者と前記第２の視聴者間のコミュニケーションセッションを制御する手段と、前記第１の視聴者と前記第２の視聴者が視聴する放送チャンネルが同期するように制御する手段とを備えたことを特徴とする。
本発明の協調視聴支援方法は、複数の視聴者の、各々が視聴中の放送チャンネルを示すチャンネル情報を、ネットワーク経由で監視する工程と、前記チャンネル情報を複数の視聴者の各々と対応づけて管理し、第１の視聴者と第２の視聴者のチャンネル情報が一致した場合に、前記第１の視聴者と前記第２の視聴者間のコミュニケーションセッションを制御する工程と、前記第１の視聴者と前記第２の視聴者が視聴する放送チャンネルが同期するように制御する工程とを備えたことを特徴とする。
本発明のプログラムは、前記協調視聴支援方法をコンピュータに実行させることを特徴とする。
【発明の効果】
【００１０】
本発明によれば、協調視聴の場を視聴者が意識することなく、最小限の操作で提供することができる。
【発明を実施するための最良の形態】
【００１１】
以下、本発明を適用した好適な実施形態を、添付図面を参照しながら詳細に説明する。
【００１２】
本発明の実施形態は、テレビジョン装置を用いて番組コンテンツを視聴中の視聴者と、遠隔地において同じくテレビジョン装置を用いて番組コンテンツを視聴中の視聴者とが、ＩＰ電話装置を用いて協調視聴を開始、終了するものである。
【００１３】
図１は、本実施形態に係る協調視聴支援システムの構成図である。視聴者Ａ（１１Ａ）、視聴者Ｂ（１１Ｂ）の各々が利用するネットワークに接続可能なテレビジョン装置１２Ａ、１２Ｂと、それぞれに付随するリモコン装置１３Ａ、１３Ｂと、コミュニケーションを行うために視聴者Ａ、視聴者Ｂの各々が利用する通信端末装置１４Ａ、１４ＢがＬＡＮおよびＷＡＮ１７によるＩＰネットワーク網を介して接続されている。
【００１４】
テレビジョン装置１２Ａ、１２Ｂは放送局１５から地上波をはじめ放送衛星波（ＢＳ），通信衛星波（ＣＳ）、ケーブルテレビ（ＣＡＴＶ）などを受信可能である。
【００１５】
テレビジョン装置１２Ａ、１２ＢはＩＰネットワーク上において一意のＩＰアドレスを持つ。通信端末装置１４Ａ、１４Ｂは本実施形態においてはＩＰ電話装置であるが、テキスト情報を交換する場合などはチャット機能を備えたＰＣ端末などでもよい。また、通信端末装置１４Ａ、１４Ｂが実装するコミュニケーション機能はテレビジョン装置１２Ａ、１２Ｂに内蔵されていてもよい。
【００１６】
テレビジョン装置１２Ａ、１２Ｂはリモコン装置１３Ａ、１３Ｂで操作可能である。テレビジョン装置および通信端末装置の構成および詳しい動作については後述する。
【００１７】
ＩＰネットワーク上には協調視聴管理サーバ装置１６が設置される。協調視聴管理サーバ装置は各視聴者が利用するテレビジョン装置からの登録要求を受け付け、視聴者情報として各テレビジョン装置の状態を管理する機能と、視聴者にコミュニケーションの場を提供するための機能を実装する。
【００１８】
続いてテレビジョン装置およびリモコン装置の構成および機能について説明する。図２は、テレビジョン装置およびリモコン装置の構成を示すブロック図である。
【００１９】
テレビジョン装置２１の受信部２１１は放送局２３から送信される放送電波を受信する。制御部２１３は受信する放送の制御を行い、現在受信中の放送チャンネルの情報を保持し、情報通信部や表示部にその情報を反映させる。
【００２０】
通信処理部２１２は、ネットワークインタフェースを含み、テレビジョン装置の電源の状態および受信中のチャンネルの状態を制御部２１３から受け取り、協調視聴管理サーバ装置に送信する。
【００２１】
また、協調視聴時には、協調視聴管理サーバ装置からのチャンネル制御信号を受信し、制御部に送ることで、受信する放送が切り替わる。
【００２２】
表示制御部／表示部２１４は受信した放送を画面に出力する。リモコン装置通信部２１５はリモコン装置２２からの制御情報を受信する。
【００２３】
リモコン装置の制御部２２１はテレビジョン装置に送信するための各種制御情報を生成する。テレビジョン装置通信部２２２はテレビジョン装置へ制御情報を送信する。
続いて協調視聴管理サーバ装置の構成および機能について説明する。
【００２４】
図３は、協調視聴管理サーバ装置の構成を示すブロック図である。協調視聴管理サーバ装置３１はＣＰＵ３１１、ＲＡＭ３１２、ＲＯＭ３１３、ＨＤＤ３１４、ネットワークＩ/Ｆ３１５、バス３１６を具備している。
【００２５】
ＣＰＵ３１１は協調視聴管理サーバ装置全体の制御に加え、本実施形態における通信端末装置の接続を行うプログラムデータが指示する処理を行う。
【００２６】
ＲＡＭ３１２はＲＡＭ（Ｒａｎｄｏｍ Ａｃｃｅｓｓ Ｍｅｍｏｒｙ）であり、ＣＰＵ３１１の動作に必要な作業メモリとして使用される。
【００２７】
ＲＯＭ３１３はＲＯＭ(Ｒｅａｄ Ｏｎｌｙ Ｍｅｍｏｒｙ)であり、ＣＰＵ３１１に必要な命令やデータを格納する。
【００２８】
ＨＤＤ３１４はＨＤＤ（Ｈａｒｄ Ｄｉｓｋ Ｄｒｉｖｅ）であり、協調視聴支援システムにおいて、各視聴者が利用するテレビジョン装置の電源や受信中チャンネルの状態を管理するためのプログラムデータとその情報自体を格納することに加え、通信端末装置の接続を制御するプログラムデータを格納する。
【００２９】
ネットワークＩ/Ｆ３１５はネットワークに接続するための通信制御を処理する。ＣＰＵ３１１からネットワークＩ／Ｆ３１５の各ブロックはバス３１６に接続されている。
【００３０】
図４は、協調視聴管理サーバの機能を示すブロック図である。協調視聴管理サーバは、テレビジョン装置からの登録要求受け付けを行い、その状態を管理する。
【００３１】
また、通信端末装置の接続の制御および状態管理を行うことで、協調視聴を実現するものであり、情報記憶手段４０１、情報管理手段４０２、制御手段４０３、受信手段４０４、送信手段４０５から構成されている。
【００３２】
情報記憶手段４０１とは、情報管理手段４０２からの要求に従い、テレビジョン装置および端末装置の各ＩＰアドレスと、テレビジョン装置のチャンネル情報を図５のように、書き込むものである。
【００３３】
視聴者が用いるテレビジョン装置のＩＰアドレスの協調視聴管理サーバへの登録は、協調視聴管理サーバ及びテレビジョン装置が実装するプログラムによって、視聴者がテレビジョン装置から行うことができ、登録されたテレビジョン装置の電源状態やチャンネル情報などの状態情報は情報記憶手段を介して書き込まれる。
【００３４】
情報管理手段４０２は、情報記憶手段４０１を操作・管理するものであり、制御手段４０３からの要求に従い、装置情報を情報記憶手段４０１に書き込み、または装置情報を削除し、あるいは装置情報を情報記憶手段４０１から読み出すものである。
【００３５】
制御手段４０３は、ネットワークに接続している端末装置の登録要求を受け付け、登録されたテレビジョン装置などの情報の保存を情報管理手段４０２に指示する。また通信端末装置の呼制御を制御する。
【００３６】
送信手段４０５は、制御手段４０３より送られてきた送信命令に従い、指定された通信端末装置に呼制御信号などを送信するものである。
【００３７】
続いて、協調視聴を開始し、終了するまでの視聴者および協調視聴管理サーバ装置それぞれの処理の詳細を図６及び図７を用いて詳述する。
【００３８】
図６のフローチャートは視聴者Ａと視聴者Ｂの間で協調視聴が開始するまでの協調視聴管理サーバ装置側の制御について示す図である。また、図７のフローチャートは視聴者Ａと視聴者Ｂの間で協調視聴が開始するまでの視聴者のテレビジョン装置及び通信端末装置の制御について示す図である。
【００３９】
協調視聴を開始するために、はじめに視聴者Ａおよび視聴者Ｂはテレビジョン装置の電源をＯＮにして（ステップＳ７−１）、協調視聴管理サーバ装置に対して登録要求を行う（ステップＳ７−２）。
【００４０】
登録要求の際は、協調視聴管理サーバ装置のＩＰアドレス、自己が用いるテレビジョン装置および通信端末装置のＩＰアドレスがわかっていればよい。協調視聴管理サーバ装置と、テレビジョン装置間では、サーバ・クライアント型のサービスが実装されており、図８に示すような入力インタフェースによって簡単に登録要求が可能である。
【００４１】
一方、協調視聴管理サーバ装置は視聴者からの登録要求を常に待ち受ける状態にある（ステップＳ６−１）。視聴者Ａおよび視聴者Ｂからの登録要求を受信する（ステップＳ６−２）と、協調視聴管理サーバ装置は登録処理を行い（ステップＳ６−３）、登録後は各視聴者のテレビジョン装置の電源状態、受信中のチャンネル情報、通信端末装置の通話状態を保持、管理する。
【００４２】
保持する情報は各視聴者毎に図５に示すように管理される。なお、各視聴者による登録要求や、協調視聴管理サーバ装置における登録処理は一度行えば以降は必要ない。
【００４３】
視聴者Ａもしくは視聴者Ｂがチャンネルを切り替えた場合（ステップＳ７−３）やテレビジョン装置の電源をＯＮにして、テレビ視聴を開始した場合などに、協調視聴管理サーバ装置はそれを検知し（ステップＳ６−４）、保持する情報の更新をリアルタイムで行う（ステップＳ６−５）。
【００４４】
このとき、協調視聴管理サーバ装置に登録された視聴者Ａと視聴者Ｂの視聴チャンネルが一致した場合（ステップＳ６−６、ステップＳ７−４）、協調視聴管理サーバ装置はそれを検知し、視聴チャンネルが一致している両視聴者宛てに協調視聴を開始するメッセージを通知する（ステップＳ６−７）。
【００４５】
当該メッセージの通知は例えばＳＩＰ（Ｓｅｓｓｉｏｎ Ｉｎｉｔｉａｉｏｎ Ｐｒｏｔｏｃｏｌ）のＭＥＳＳＡＧＥメソッドを用いて容易に実現可能である。各視聴者は協調視聴管理サーバ装置から、協調視聴を開始することを通知するメッセージを受信する（ステップＳ７−５）。
【００４６】
図９は協調視聴管理サーバ装置からのメッセージ受信の様子を示すものである。なお、協調視聴管理サーバ装置からの当該メッセージの通知は、各視聴者のチャンネルが一致した直後でもよいが、単にザッピング中に一瞬一致しただけという場合なども考えられるため、一定時間後に通知を行うように設定可能であるとする。
【００４７】
メッセージは協調視聴開始を承諾するか否かを選択できる形式となっており、ここで両視聴者が承諾すれば（ステップＳ６−８、ステップＳ７−６）、協調視聴管理サーバ装置は各視聴者の登録情報をもとに、各視聴者が用いる通信端末装置に対して呼制御信号を発信し、電話を接続する（ステップＳ６−１０、ステップＳ７−８）。視聴者Ａおよび視聴者Ｂが用いる通信端末装置間での通話は例えばＳＩＰを用いた３ＰＣＣ（Ｔｈｉｒｄ Ｐａｒｔｙ Ｃａｌｌ Ｃｏｎｔｒｏｌ）を行うことで実現可能である。協調視聴管理サーバ装置による３ＰＣＣについては後で詳述する。
【００４８】
両視聴者の承諾が得られなかった場合には、協調視聴管理サーバ装置から両視聴者宛てに協調視聴を開始しないことを通知するメッセージを通知し（ステップＳ６−９）、両視聴者はそれを受信する（ステップＳ７−７）。協調視聴開始後は、協調視聴を行う視聴者同士のチャンネルが同期する。
【００４９】
協調視聴を行っている視聴者同士は協調視聴管理サーバ装置内で自動的にグルーピングされ、例えば視聴者Ａがチャンネルを切り替えると、協調視聴管理サーバ装置はそれを検知（ステップＳ６−１１）し、視聴者Ａに関して保持する保持する情報の更新を行うと同時に、視聴者Ａのチャンネル情報をもとに、視聴者Ｂのテレビジョン装置に対してチャンネル制御信号を送信し、自動的に視聴者Ａと視聴者Ｂのチャンネルが同期する（ステップＳ６−１２）。
【００５０】
協調視聴の終了はどちらかの視聴者によって指示が可能であり、視聴者から協調視聴終了指示が出されると、協調視聴管理サーバ装置は、視聴者の通信端末装置の通話を呼制御によって切断する処理と、チャンネル同期処理の終了と、協調視聴が終了したことを通知するメッセージの送信を行う（ステップＳ６−４）。
【００５１】
一方で視聴者は協調視聴が終了したことを知らせるメッセージを受信し、通常のテレビ視聴状態に戻る（ステップＳ７−１１）。
【００５２】
続いて、図１０に示す呼制御のフローを基に視聴者Ａと視聴者Ｂの通信端末装置の３ＰＣＣによる接続方法を説明する。
【００５３】
通信端末装置１４Ａと通信端末装置１４Ｂの間にメディアセッションを確立するとき、協調視聴管理サーバ装置１６から視聴者Ａの通信端末装置１４Ａへ、セッション開始要求としてＳＩＰのＩＮＶＩＴＥメソッドを送信する（Ｆ１００１）。
【００５４】
当該ＩＮＶＩＴＥメソッド（Ｆ１００１）を受信した通信端末装置１４Ａは呼び出し中となり、暫定応答を返す。
【００５５】
続いて通信端末装置１４Ａが応答すると、当該通信端末装置は通話要求を理解し受け入れたことを示す成功応答（Ｆ１００２）を協調視聴管理サーバ装置１６へ送信する。
【００５６】
成功応答（Ｆ１００２）はＩＮＶＩＴＥメソッド（Ｆ１００１）に対する応答であり、応答コードは２００である。当該成功応答（Ｆ１００２）には、通信端末装置１４ＡのＩＰアドレス、通話で使用するポート番号、使用可能なコーデック等、セッションを確立するために必要な情報であるＳＤＰ（Ｓｅｓｓｉｏｎ Ｄｅｓｃｒｉｐｔｉｏｎ Ｐｒｏｔｏｃｏｌ）を含んでいる。
【００５７】
当該成功応答を受信した協調視聴管理サーバ装置は、通信端末装置１４Ａへの通話要求が受け入れられたことを確認し、通話要求に対する応答を受信したことを示すＡＣＫメソッド（Ｆ１００３）を協調視聴管理サーバ装置１６へ送信するとともに、視聴者Ｂの用いる通信端末装置１４Ｂへセッション開始要求としてＳＩＰのＩＮＶＩＴＥメソッドを送信する（Ｆ１００４）。
【００５８】
当該ＩＮＶＩＴＥは、視聴者Ａの通信端末装置がＡｎｓｗｅｒしたＳＤＰを含んでいる。
【００５９】
当該ＩＮＶＩＴＥメソッド（Ｆ１００４）を受信した通信端末装置は、呼び出し中状態となり、通信端末装置の受話器を取るなどして応答をすると、当該通信端末装置１４Ａは通話要求を理解し受け入れたことを示す成功応答（Ｆ１００５）を協調視聴管理サーバ装置１６へ送信する。
【００６０】
当該成功応答（Ｆ１００５）には、通信端末装置１４ＢのＩＰアドレス、通話で使用するポート番号、使用可能なコーデック等、セッションを確立するために必要な情報であるＳＤＰを含んでいる。
【００６１】
当該成功応答（Ｆ１００５）を受信した協調視聴管理サーバ装置は、通信端末装置１４Ｂへの通話要求が受け入れられたことを確認し、通話要求に対する応答を受信したことを示すＡＣＫメソッド（Ｆ１００６）を通信端末装置１４Ｂへ送信する。
【００６２】
続いて、協調視聴管理サーバ装置は視聴者Ａの通信端末装置１４ＡにＡＣＫメソッド（Ｆ１００７）を送信する。
【００６３】
当該ＡＣＫには、視聴者Ｂの通信端末装置１４ＢがＡｎｓｗｅｒしたＳＤＰが含まれており、これにより両通信端末装置間で音声通信を行うためのＩＰアドレス、通話で使用するポート番号、使用するコーデック等、セッションを確立するために必要な情報が全て一意に決定する。
【００６４】
以上の処理により当該音声セッションが確立し、通信端末装置１４Ａと通信端末装置１４Ｂの間でメディアデータ（音声データ）がＲＴＰ（Ｒｅａｌ−Ｔｉｍｅ Ｐｒｏｔｏｃｏｌ）で送受信されることにより音声通話が行われる。
【００６５】
なお、協調視聴管理サーバ装置からの発呼の順番は視聴者Ａが先でも、視聴者Ｂが先でもどちらでもよい。
【００６６】
また、音声セッション終了時には、各々の通信端末装置にＢＹＥメソッドが送られ（Ｆ１００８）、当該対する成功応答が各通信端末装置から多地点会議サーバ装置に送信され（Ｆ１００９）、音声セッション終了処理が完了する。
【００６７】
なお、本実施形態では、通信端末装置をＩＰ電話として説明したが、テレビ電話装置などによる音声映像通信でもよい。
【００６８】
さらに、例えばチャット機能を備えたアプリケーションがインストールされたコンピュータ端末装置でもよい。
【００６９】
この場合には、協調視聴管理サーバ１６はテレビジョン装置からの登録要求とともに、視聴者によって関連付けられたコンピュータ端末装置（インストールされたチャットアプリケーション）の登録要求を受け付ける。協調視聴管理サーバ装置からのメッセージの通知や、視聴者間のメッセージ交換は例えばＳＩＰのＭＥＳＳＡＧＥメソッドを用いて容易に行うことができる。
【００７０】
また、協調視聴管理サーバ装置が提供する機能は、例えばどちらか一方の視聴者が用いるテレビジョン装置内に存在してもよく、この場合ネットワーク上に別途協調視聴管理サーバ装置を設ける必要はない。
【００７１】
以上の手順及び処理によって、視聴者は特に意識する必要なく協調視聴を開始できるため、番組コンテンツの視聴に対する集中を阻害されることなく協調視聴を開始することが可能である。
【００７２】
また、協調視聴を開始するきっかけが、視聴者の互いのチャンネルが一致するという偶発的な要素によるものであることから、視聴者はどのような相手に対しても気恥ずかしさを伴うことなく協調視聴を開始することが可能である。
【図面の簡単な説明】
【００７３】
【図１】本発明の実施形態に係る協調視聴支援システムの構成を示す図である。
【図２】テレビジョン装置及びリモコン装置の構成を示すブロック図である。
【図３】協調視聴管理サーバ装置の構成を示すブロック図である。
【図４】協調視聴管理サーバ装置の機能を示すブロック図である。
【図５】協調視聴管理サーバ装置に登録された視聴者管理情報を示す図である。
【図６】協調視聴を開始し、終了するまでの視聴者の処理を示すフローチャートである。
【図７】協調視聴を開始し、終了するまでの協調視聴管理サーバ装置の処理を示すフローチャートである。
【図８】視聴者登録画面の例を示す図である。
【図９】協調視聴管理サーバ装置からのメッセージ受信の様子を示す図である。
【図１０】視聴者Ａと視聴者Ｂの通信端末装置の３ＰＣＣによる接続処理を示すシーケンスチャートである。
【符号の説明】
【００７４】
１１  視聴者
１２  テレビジョン装置
１３  リモコン装置
１４  通信端末装置
１５  放送局
１６  協調視聴管理サーバ装置
１７  ＬＡＮ／ＷＡＮ
２１  テレビジョン装置
２２  リモコン装置
２３  放送局
２１１  受信部
２１２  通信処理部
２１３  制御部
２１４  表示制御部／制御部
２１５  リモコン装置通信部
２２１  制御部
２２２  テレビジョン装置通信部
３１  協調視聴管理サーバ装置
３１１  ＣＰＵ
３１２  ＲＡＭ
３１３  ＲＯＭ
３１４  ＨＤＤ
３１５  ネットワークインタフェース
３１６  バス
３１７  ＬＡＮ
【図１】
2007281964.tif 000003
【図２】
2007281964.tif 000004
【図３】
2007281964.tif 000005
【図４】
2007281964.tif 000006
【図５】
2007281964.tif 000007
【図６】
2007281964.tif 000008
【図７】
2007281964.tif 000009
【図８】
2007281964.tif 000010
【図９】
2007281964.tif 000011
【図１０】
2007281964.tif 000012